(57)【要約】【課題】  ユーザーからの指示を受けた画像に対する処理が完了していないことを通知する。【解決手段】  処理の完了していないページを示すサムネイルに処理中であることを示す情報を表示する。【選択図】  図１
2007257482.tif 000002
【特許請求の範囲】
【請求項１】
画像をユーザーインタフェイスに表示し、当該画像に対して修正指示が可能な画像修正指示手段と、修正対象の画像を修正候補の画像から選択可能な修正対象画像選択手段を持ち、
前記修正対象選択手段は、修正候補の画像をユーザーインタフェイスに縮小表示が可能であり、前記画像修正指示手段で指示された画像に対する修正指示に従った画像修正後に、修正された画像について、前記縮小表示された修正候補の画像を再作成する画像処理システムにおいて、
前記画像修正指示手段で前記修正対象の画像に対する修正を指示してから、修正を反映した前記縮小表示の縮小画像を作成し表示するまでの間、前記縮小表示が未更新であることを示す、更新情報をユーザーインタフェイスに表示することを特徴とする画像処理システム。
【請求項２】
請求項１に記載の画像処理システムは、
前記画像修正指示手段によって修正指示が複数の画像に対して行われた場合、修正候補の画像を示す前記縮小画像全てに対して前記更新情報の表示をすることを特徴とする。
【請求項３】
請求項１に記載の画像処理システムは、
前記画像修正指示手段によって指示された修正指示で、現在画像修正を実行中の画像修正指示又は未実行の画像修正指示を実行する順番で格納した画像処理リストを修正候補の画像ごとに持ち、前記画像処理リストの内容をユーザーインタフェイスに表示する残処理表示手段を持つことを特徴とする。
【請求項４】
請求項３に記載の画像処理システムは、
前記画像処理リストに格納されている画像修正指示の内容を一意に示す処理内容画像をユーザーインタフェイスに表示し、前記画像処理リストに複数の画像修正指示が格納されている場合には、処理を行う順に前記処理内容画像を並べて表示することを特徴とする。
【請求項５】
請求項４に記載の画像処理システムは、
前記画像処理リストに複数の画像修正指示が格納されている場合には、一定の数までの前記処理内容画像の表示を行い、一定の数を超える画像修正指示が格納されている場合には、先に処理を行う画像修正指示から一定の数分の前記処理内容画像を表示することを特徴とする。
【請求項６】
請求項１に記載の画像処理システムは、
前記画像修正指示手段によって指示された修正指示の内容から、前記縮小画像を作成し表示するまでの所要処理時間を計算し、ユーザーインタフェイスに表示することを特徴とする。
【発明の詳細な説明】
【技術分野】
【０００１】
本発明は画像編集時において、更新情報を表示する方法及びそのシステムに関するものである。
【背景技術】
【０００２】
従来、紙の文書をスキャナで読み取り、読み取った画像データを画像編集手段で修正し、必要に応じて両面やステイプル、パンチ穴等の加工指示を付加して印刷装置より出力することが一般的に行われている。
【０００３】
また、複数の画像を１回の指示で修正するために、１ページの画像に対する画像修正を複数の画像のページ枚数分繰り返すことが一般的に行われている。
【０００４】
このような、画像に対する修正やデータのダウンロードなどの時間がかかる処理の実行中には処理の経過を示す情報が表示されていた。例えば、特許文献１によれば、画像をダウンロードする場合、始めに対象画像のサムネイルをダウンロードする画像と同じサイズまで拡大したものを表示し、ダウンロードしたデータから徐々にサムネイルを拡大した領域に上書きしていくという方法で処理の経過を表示していた。
【特許文献１】特開平11-345242
【発明の開示】
【発明が解決しようとする課題】
【０００５】
しかしながら、従来の方法では処理途中の画像を表示しないと経過を表示することは出来ないため、表示されている画像で他の処理の指示をしながら、実行中の表示されていない画像に対する処理の状況を表示することが出来ないという課題があった。
【課題を解決するための手段】
【０００６】
本発明は上述した課題を解決するために考案されたものであり、画像をユーザーインタフェイスに表示し、当該画像に対して修正指示が可能な画像修正指示手段と、修正対象の画像を修正候補の画像から選択可能な修正対象画像選択手段を持ち、前記修正対象選択手段は、修正候補の画像をユーザーインタフェイスに縮小表示が可能であり、前記画像修正指示手段で指示された画像に対する修正指示に従った画像修正後に、修正された画像について、前記縮小表示された修正候補の画像を再作成する画像処理システムにおいて、前記画像修正指示手段で前記修正対象の画像に対する修正を指示してから、修正を反映した前記縮小表示の縮小画像を作成し表示するまでの間、前記縮小表示が未更新であることを示す、更新情報をユーザーインタフェイスに表示することを特徴とする画像処理システムである。
【発明の効果】
【０００７】
本発明によって、縮小画像ごとに更新情報を表示することによりユーザーは表示されていない画像に対する処理の更新状況を把握することができる。
【発明を実施するための最良の形態】
【０００８】
以下、本発明を適用するのに最良である実施の形態について説明を行う。
【０００９】
＜本実施形態の画像処理システムのソフトウェア構成例＞
図１は、本実施形態の画像処理システムのソフトウェア構成を示す図である。
【００１０】
本発明の画像処理システム（情報処理装置）の好適な実施形態であるデジタルコンピュータ１００（以下、ホストコンピュータとも呼ばれる）によって実現されている。
【００１１】
本発明の文書処理システムは、複数の画像データを対象に画像処理を行うもので、複数の画像データの記録方法は特に問わない。ページの順序管理が可能な形態であれば、データベース（１０２）から画像を取り出し、画像処理アプリケーション（１０１）が複数画像を処理し、再度データベースに保存する構成をとることも可能であるし、画像ファイルをディスク（１０３）から直接取りだし、保存する構成をとることも可能である。また、印刷文書をページ管理し出力体裁を整えることが可能な、文書処理システム（１０４）から取り出し、保存する構成をとることも可能である。
【００１２】
＜本実施形態の画像処理システムのハードウェア構成例＞
図２は、本実施形態の画像処理システムのハードウェア構成を示す図である。図２において、ホストコンピュータ１００は、ＲＯＭ２０３内のプログラム用ＲＯＭあるいは外部メモリ２１１に記憶された画像処理プログラム等に基づいて複数画像処理を実行するＣＰＵ２０１を備え、システムバス２０４に接続される各デバイスをＣＰＵ２０１が総括的に制御する。また、このＲＯＭ２０３内のプログラム用ＲＯＭあるいは外部メモリ２１１には、ＣＰＵ２０１の制御プログラムであるオペレーティングシステムプログラム等を記憶し、ＲＯＭ２０３内のフォント用ＲＯＭあるいは外部メモリ２１１には上記画像処理の際に使用するフォントデータ等を記憶し、ＲＯＭ２０３内のデータ用ＲＯＭあるいは外部メモリ２１１には上記画像処理等を行う際に使用する各種データを記憶する。ＲＡＭ２０２は、ＣＰＵ２０１の主メモリ、ワークエリア等として機能する。
【００１３】
キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ（ＣＲＴ）２１０の表示を制御する。２０７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フレキシブルディスク（ＦＤ）等の外部メモリ２１１とのアクセスを制御する。プリンタコントローラ（ＰＲＴＣ）２０８は、双方向性インタフェース（インタフェース）２１を介してプリンタ１０７に接続されて、プリンタ１０７との通信制御処理を実行する。ＮＣ２１２はネットワークに接続されて、ネットワークに接続された他の機器との通信制御処理を実行する。
【００１４】
なお、ＣＰＵ２０１は、例えばＲＡＭ２０２上に設定された表示情報ＲＡＭへのアウトラインフォントの展開（ラスタライズ）処理を実行し、ＣＲＴ２１０上でのＷＹＳＩＷＹＧを可能としている。また、ＣＰＵ２０１は、ＣＲＴ２１０上の不図示のマウスカーソル等で指示されたコマンドに基づいて登録された種々のウインドウを開き、種々のデータ処理を実行する。ユーザーは印刷を実行する際、印刷の設定に関するウインドウを開き、プリンタの設定や、印刷モードの選択を含むプリンタドライバに対する印刷処理方法の設定を行える。
【００１５】
プリンタ１０７は、ＣＰＵ３１２により制御される。プリンタのＣＰＵ３１２は、ＲＯＭ３１３内のプログラム用ＲＯＭに記憶された制御プログラム等あるいは外部メモリ３１４に記憶された制御プログラム等に基づいてシステムバス３１５に接続される印刷部（プリンタエンジン）３１７に出力情報としての画像信号を出力する．また、このＲＯＭ３１３内のプログラムＲＯＭには、ＣＰＵ３１２の制御プログラム等を記憶する。ＲＯＭ３１３内のフォント用ＲＯＭには上記出力情報を生成する際に使用するフォントデータ等が記憶され、ＲＯＭ３１３内のデータ用ＲＯＭには、ハードディスク等の外部メモリ３１４がないプリンタの場合には、ホストコンピュータ上で利用される情報等が記憶されている。
【００１６】
ＣＰＵ３１２は入力部３１８を介してホストコンピュータとの通信処理が可能となっており、プリンタ内の情報等をホストコンピュータ１００に通知できる。ＲＡＭ３１９は、ＣＰＵ３１２の主メモリや、ワークエリア等として機能するＲＡＭで、図示しない増設ポートに接続されるオプションＲＡＭによりメモリ容量を拡張することができるように構成されている。なお、ＲＡＭ３１９は、出力情報展開領域、環境データ格納領域、ＮＶＲＡＭ等に用いられる。前述したハードディスク（ＨＤ）、ＩＣカード等の外部メモリ３１４は、メモリコントローラ（ＭＣ）２０によりアクセスを制御される。外部メモリ３１４は、オプションとして接続され、フォントデータ、エミュレーションプログラム、フォームデータ等を記憶する。また、３２１は前述した操作パネルで、操作のためのスイッチ及びＬＥＤ表示器等が配されている。
【００１７】
また、前述した外部メモリ３１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル３２１からのプリンタモード設定情報を記憶するようにしてもよい。
【００１８】
＜本実施形態の画像処理システムの処理手順例＞
図３は、図１の画像処理アプリケーション１０１が複数の画像に対して起動された場合の画像処理システムの動作手順を示したフローチャートである。また、複数画像処理アプリケーションのユーザーインターフェイスの一例をしめしたのが図４である。
【００１９】
まず、複数画像処理アプリケーションが起動されると、処理対象となる複数の画像について画像情報を取得する（Ｓ３０１）。この画像情報には、画像の大きさが含まれる。全ページ分の情報を取得した後（Ｓ３０２）、全ての画像のうち最大の大きさを持った画像が、あらかじめ決めた一定の大きさになるように、サムネイル画像を表示する際の画像表示の倍率を決定する（Ｓ３０４）。そのほかの画像については、それぞれの画像の大きさ比とサムネイル画像の大きさ比が等しくなるようにサムネイル画像を表示する際の画像表示の倍率を決定する。
【００２０】
その後画像データを取得し、決定された倍率に従ってサムネイル（４０２）を表示する（Ｓ３０５）。また、起動時に指定されたページについて画像修正内容指示のために表示する（４０１）。指定がない場合は先頭ページを表示する。
そして、ユーザーは複数画像の編集作業を行い（Ｓ３０６）、修正を行った画像について保存し（Ｓ３０７）終了する。
【００２１】
図５は複数画像の編集作業時（Ｓ３０６）における画像処理システムの動作手順の詳細を示したフローチャートである。複数画像の編集は、適用ページの指定（Ｓ５０１）、選択ページの変更（Ｓ５０２）、画像修正内容指示と画像修正の実行（Ｓ５０３）、サムネイル更新（Ｓ５０４）の各処理の組み合わせによって実現される。ユーザーが明示的に終了するまで（Ｓ５０５）、複数画像処理アプリケーションはユーザーからの指示を待つ。
【００２２】
次に複数画像の編集作業時（Ｓ３０６）における各処理について、詳細に説明する。
【００２３】
図６は複数画像の編集作業時（Ｓ３０６）における適用ページの指定動作について詳細を示したフローチャートである。複数画像処理アプリケーションはそのユーザーインターフェイスに、適用ページについての切りかえが可能なユーザーインターフェイス（４０４）を持ち、編集中にいつでも切りかえることが可能である。この適用ページの切りかえの選択肢としては、現在の選択ページ、全ページ、現在の選択ページを含む１ページおき、任意の複数のページが選択可能である。
【００２４】
ユーザーが適用ページの指定を変更した場合（Ｓ６０１）、適用ページの指定を一時、解除する（Ｓ６０２）。そして「現在の選択ページ」が指定された場合（Ｓ６０３）現在の選択ページを適用ページに指定する（Ｓ６０４）。その場合、複数画像処理アプリケーションは図４に示される状態となる。現在の選択ページが適用ページとしてサムネイル表示されている（４０３）。選択ページと適用ページのサムネイル表示を実現する手順は後述する。
【００２５】
「全ページ」が指定されていた場合（Ｓ６０５）全ページを適用ページに指定する（Ｓ６０６）。その場合、複数画像処理アプリケーションは図８に示される状態となる。全てのページが適用ページとしてサムネイル表示されている（８０１，８０２）。
【００２６】
「１ページおき」が指定されていた場合（Ｓ６０７）現在の選択ページを基準に、１ページおきのページを適用ページに指定する（Ｓ６０８）。その場合、複数画像処理アプリケーションは図７に示される状態となる。現在の選択ページ（７０１）を基準に、１ページおきのページが適用ページとしてサムネイル表示されている（７０１，７０２）。
【００２７】
それ以外の場合、すなわち「任意ページ」が指定されていた場合（Ｓ６０７）ユーザーが適用ページの指定を切りかえた時点では、現在の選択ページのみを適用ページに指定する（Ｓ６０９）その場合、複数画像処理アプリケーションは図４に示される状態となる。現在の選択ページが適用ページとしてサムネイル表示されている（４０３）。
【００２８】
図１０は、複数画像の編集作業時（Ｓ３０６）における選択ページの変更動作について詳細を示したフローチャートである。ユーザーが選択ページを変更すると（Ｓ１００１）、適用ページの設定に「現在の選択ページ」が指定されていた場合（Ｓ１００２）、指定されたページを適用ページに指定する（Ｓ１００３）。そして、ユーザーが指定したページを現在の選択ページに選択し（Ｓ１００８）、現在の選択ページを画像修正内容指示のために表示する（Ｓ１００９）。その場合、複数画像処理アプリケーションは図４に示される状態となる。現在の選択ページが適用ページとしてサムネイル表示されている（４０３）。選択ページと適用ページのサムネイル表示を実現する手順は後述する。
【００２９】
「全ページ」が指定されていた場合（Ｓ１００４）全ページが適用ページに指定された状態から変更はない。そして、ユーザーが指定したページを現在の選択ページに選択し（Ｓ１００８）、現在の選択ページを画像修正内容指示のために表示する（Ｓ１００９）。その場合、複数画像処理アプリケーションは図８に示される状態となっている。全てのページが適用ページとしてサムネイル表示されている（８０１，８０２）。
【００３０】
「１ページおき」が指定されていた場合（Ｓ１００５）指定されたページを基準に、指定されたページを含む１ページおきのページを適用ページに指定する（Ｓ１００６）。そして、ユーザーが指定したページを現在の選択ページに選択し（Ｓ１００８）、現在の選択ページを画像修正内容指示のために表示する（Ｓ１００９）。例として図７の７０１に示されるページが選択された場合、複数画像処理アプリケーションは図７に示される状態となる。現在の選択ページ（７０１）を基準に、１ページおきのページが適用ページとしてサムネイル表示されている（７０１，７０２）。また別の例として図１１の１１０１に示されるページが選択された場合、複数画像処理アプリケーションは図１１に示される状態となる。現在の選択ページ（１１０１）を基準に、１ページおきのページが適用ページとしてサムネイル表示されている（１１０１，１１０２）。
【００３１】
それ以外の場合、すなわち「任意ページ」が指定されていた場合（Ｓ１００５）、ユーザーが指定したページについて、適用ページに追加または削除する。
この適用ページに追加または削除する処理の詳細を示したフローチャートが図１２である。指定されたページが現在の選択ページであれば、何もせず処理は終了する（Ｓ１２０１）。
【００３２】
ユーザーが指定したページについて、現在の選択ページではなく、かつ適用ページであった場合（Ｓ１２０２）には、指定ページが、削除を表すキーとともに選択された場合、たとえばシフトキーを押下しつつマウスで選択された場合には（Ｓ１２０６）、指定されたページを適用ページから削除して（Ｓ１２０７）終了する。削除を表すキーを使用せず選択された場合には、指定されたページを現在の選択ページに選択（Ｓ１２０４）、表示画像を現在の選択ページに更新する（Ｓ１２０５）。
【００３３】
ユーザーが指定したページについて、現在の選択ページではなく、かつ適用ページでも無い場合（Ｓ１２０２）には、指定されたページを適用ページに追加し（Ｓ１２０３）、指定されたページを現在の選択ページに選択（Ｓ１２０４）、表示画像を現在の選択ページに更新する（Ｓ１２０５）。この場合の複数画像処理アプリケーションの画面表示の一例を表したのが図９である。
【実施例１】
【００３４】
図１３はS３０５およびS５０４で行われる、サムネイルの表示、および画像編集時における画像処理システムのサムネイルの更新、およびサムネイル更新時の更新情報表示についての詳細を示したフローチャートである。
【００３５】
まず、サムネイルの更新が必要な状況において、画像修正が行われたページの未更新フラグをオンに設定する（S１３０１）。未更新フラグはサムネイルの更新状況を表し、オンはサムネイルが未更新であることを示し、オフはサムネイルの更新が完了していることを示す。次にS１３０１において未更新フラグをオンに設定したページの画像処理リストを取得する（S１４０２）。
【００３６】
図１４に画像処理リストの内容を示す。
【００３７】
画像処理リストには、ユーザからの要求はあったがまだ処理しきれていない画像処理の内容を示すデータが実行順に先頭から格納されている。データの形式は画像処理の内容が一意で判断できる内容になっていればIDのような数字で表されていても、任意の文字列で表されていてもよい。図１４の画像処理リストの内容は次に傾き補正を実行し、終了後、塗りつぶしの処理を実行するという内容を表している。画像処理リストはページごとに持つ。全ページに対して処理が行われた場合には全ページの画像処理リストに指定の処理が追加される。
【００３８】
画像処理リストの取得後、その情報を用いて未更新フラグがオンのページに対して更新情報の表示を行う（S１３０３）。更新情報の表示を実現する手順は後述する。
【００３９】
次に画像に対する処理を行うページを決定し（S１３０４）、そのページのサムネイルを更新する処理を実行する（S１３０５）。サムネイルの更新処理についての詳細は後述する。
【００４０】
サムネイルの更新が終了したページは未更新フラグをオフに設定する。そして、全てのページに対して未更新フラグの状態の確認を行いオンのページがなくなる、すなわち全てのサムネイルの更新が終了するまで処理を続ける（S１３０６）。
【００４１】
図１５はS１３０５に相当する処理であり、S１３０４で決定されたページのサムネイル更新時の処理についての詳細を示したフローチャートである。
【００４２】
まず、サムネイルの更新を行うページの画像データの取得を行う（S１５０１）。そのページに対応する画像処理リストの状態を調べる（S１５０２）。画像処理リストにデータが格納されていた場合は、画像処理リストの先頭データを取得し（S１５０３）、その内容に応じた画像処理を画像に対して行う（S１５０４）。画像に対する処理が終了したら更新情報の表示を行う（S１５０５）。更新情報の表示を実現する手順は後述する。処理が終了したら画像処理リストの先頭データを削除し（S１５０６）、画像処理リストが空になるまで、すなわちユーザーから要求されている画像処理がなくなるまで繰り返す。
【００４３】
画像処理リストが空であった場合、対象ページの未更新フラグをオフに設定し（S１５０７）、更新情報を消去し（S１５０８）、サムネイルを更新後のデータで上書き（S１５０９）することによりサムネイルの更新が終了する。
【００４４】
図１６は更新情報の表示における処理についての詳細を示したフローチャートである。また、図１７は更新情報の表示の状態を示したユーザーインターフェイスである。
【００４５】
更新情報として表示する情報は未更新マーク（１７０１）、残処理リスト（１７０２）、所要処理時間（１７０３）で、処理を行うサムネイル（１７０４）の周辺に配置する。まず未更新マークの表示を行い（S１６０１）、残処理リストの表示（S１６０２）、そして処理にかかる所要時間を計算し（S１６０３）その結果の表示を行う（S１６０４）。所要時間の計算の詳細については後述する。表示順序についてはどの表示から行ってもよい。
【００４６】
更新情報の表示は未更新フラグがオンのページに対してのみ行われる。
【００４７】
未更新マーク（１７０１）はサムネイルが最新の状態でないことを意味し、未更新フラグがオンのページ全てに付加する。
【００４８】
残処理リスト（１７０２）は未処理の画像処理の内容をユーザーが把握できるように画像処理の内容を示す画像を付加し、実行順に上から順に並べて表示する。画像処理の内容を示す画像は、処理の内容を一意に示すものであれば文字で表されていてもよい。また、表示する順番は処理を行う順番がわかるように表示されていれば上から順であっても下から順であってもよい。
【００４９】
また、画像処理リストに格納されている処理の数が３より大きかった場合、先頭から3つ目までの処理の内容を表示することとするが、必要に応じていくつであってもよい。
【００５０】
なお、画像処理リストが空であった場合には、表示しない。
【００５１】
所要処理時間（１７０３）は未処理の画像処理を全て処理するために必要となる時間の予測値を表示する。所要処理時間は画像処理の内容、画像の容量などの情報を元に計算される。計算方法については後述する。なお、画像処理リストが空であった場合には、表示しない。
【００５２】
更新情報の表示をしなければならない状態において画像処理リストが空であった場合には、未更新マークのみの表示となる。この状態になる一例としてアプリケーション起動時のS３０５の場合が挙げられる。
【００５３】
図１８は所要処理時間を計算する処理の一例についての詳細を示したフローチャートである。
【００５４】
まず、画像１ｋバイトあたりの合計処理時間を格納するTに０を代入し（S１８０１）、所要処理時間の計算を行う対象のページの画像の容量を取得する（S１８０２）。そして、画像処理の数分反復させるためにIに１を代入し（S１８０３）、Ｉが画像処理リストに格納された残処理数と等しくなるまで繰り返す（S１８０８）。
【００５５】
まず、残処理リストI番目（先頭）のデータから画像処理の内容を確認する（S１８０４）。次に、画像処理の内容とその画像処理を１ｋバイトの容量の画像に対して行ったときに必要な時間が格納された処理時間テーブルを取得する（S１８０５）。
【００５６】
画像処理リストから取得した処理内容と処理時間テーブルから画像１ｋバイトあたりの必要な処理時間を取得し（S１８０６）、Tに加算する（S１８０７）。以上の計算を画像処理リストに格納された処理全てに対して実行する（S１８０８）（S１８０９）。そして、ページ画像の容量（ｋバイト）に合計処理時間Tを乗算した値が所要処理時間として求まる（S１８１０）。
【００５７】
なお、図１８で示した計算方法は所要処理時間を求めるための一例であり、画像のサイズや色深度から計算する方法などおおよその所要処理時間を求めることが出来る計算方法であれば適用することが出来る。
【００５８】
また、本発明は、複数の機器(例えばホストコンピュータ、インタフェース機
器、リーダ、プリンタなど)から構成されるシステムに適用しても、一つの機器からなる装置（複写機、プリンタ、ファクシミリ装置など）に適用してもよい。
【００５９】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【００６０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００６２】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００６３】
【図１】本実施形態の画像処理システムのソフトウェア構成例を示す図である。
【図２】本実施形態の画像処理システムのハードウェア構成例を示すブロック図である。
【図３】画像処理アプリケーションが複数の画像に対して起動された場合の画像処理システムの動作手順を示したフローチャートである。
【図４】複数画像処理アプリケーションのユーザーインターフェイスの一例を示した図である。
【図５】複数画像の編集作業時における画像処理システムの動作手順の詳細を示したフローチャートである。
【図６】複数画像の編集作業時における適用ページの指定動作について詳細を示したフローチャートである。
【図７】複数画像処理アプリケーションのユーザーインターフェイス画面の一例を示す図である。
【図８】複数画像処理アプリケーションのユーザーインターフェイス画面の一例を示す図である。
【図９】複数画像処理アプリケーションのユーザーインターフェイス画面の一例を示す図である。
【図１０】複数画像の編集作業時における選択ページの変更動作について詳細を示したフローチャートである。
【図１１】複数画像処理アプリケーションのユーザーインターフェイス画面の一例を示す図である。
【図１２】複数画像の編集作業時における適用ページの追加または削除処理の詳細を示したフローチャートである。
【図１３】画像編集時における画像処理システムのサムネイルの表示、更新、およびサムネイル更新時の更新情報表示についての詳細を示したフローチャートである。
【図１４】画像処理リストの内容を示した図である。
【図１５】サムネイル更新時の処理についての詳細を示したフローチャートである。
【図１６】更新情報の表示における処理についての詳細を示したフローチャートである。
【図１７】更新情報の表示の状態を示したユーザーインターフェイスである。
【図１８】所要処理時間を計算する処理の一例についての詳細を示したフローチャートである。
【符号の説明】
【００６４】
４０２  サムネイル
１７０１  未更新マーク
１７０２  残処理リスト
１７０３  所要処理時間
【図１】
2007257482.tif 000003
【図２】
2007257482.tif 000004
【図３】
2007257482.tif 000005
【図４】
2007257482.tif 000006
【図５】
2007257482.tif 000007
【図６】
2007257482.tif 000008
【図７】
2007257482.tif 000009
【図８】
2007257482.tif 000010
【図９】
2007257482.tif 000011
【図１０】
2007257482.tif 000012
【図１１】
2007257482.tif 000013
【図１２】
2007257482.tif 000014
【図１３】
2007257482.tif 000015
【図１４】
2007257482.tif 000016
【図１５】
2007257482.tif 000017
【図１６】
2007257482.tif 000018
【図１７】
2007257482.tif 000019
【図１８】
2007257482.tif 000020